(57)【要約】  【課題】  櫛歯間隔が密であっても、間隔を保つことを目的とする。  【解決手段】  本発明における櫛ブラシは、基部と、前記基部に１列に設置される複数の櫛歯と、前記櫛歯に設けられた突起と、を有する部材を、前記櫛歯が並ぶように複数組み合わせてなる。【選択図】  図１
2018064751.tif 000002
【特許請求の範囲】
【請求項１】
基部と、前記基部に１列に設置される複数の櫛歯と、前記櫛歯に設けられた突起と、を有する部材を、前記櫛歯が並ぶように複数組み合わせてなる、櫛ブラシ。
【請求項２】
請求項１に記載の櫛ブラシであって、
前記櫛歯が１列に並ぶよう、複数の前記部材が各々有する前記基部を平行に組み合わせてなる、櫛ブラシ。
【請求項３】
請求項１又は２に記載の櫛ブラシであって、
２つの前記部材を、各部材の有する前記櫛歯が交互に並ぶよう組み合わせてなる、櫛ブラシ。
【請求項４】
請求項１から３のいずれか一項に記載の櫛ブラシであって、
前記櫛歯は、１本につき１つの前記突起を有し、
各前記突起は、前記櫛歯に対し共通する方向に突出する、櫛ブラシ。
【請求項５】
請求項１から３のいずれか一項に記載の櫛ブラシであって、
前記櫛歯は、１本につき１つの前記突起を有し、
各前記突起は、当該櫛ブラシの外側に向かう方向に突出する、櫛ブラシ。
【請求項６】
請求項１から３のいずれか一項に記載の櫛ブラシであって、
前記櫛歯は、両隣の他の前記櫛歯の方向に向けて突出する複数の前記突起を有する第１の櫛歯と、前記突起を有しない第２の櫛歯と、からなる、櫛ブラシ。
【請求項７】
請求項１から６のいずれか一項に記載の櫛ブラシであって、
前記櫛歯は、先端が前記突起の先端との間で略直線形状をなすよう形成される、櫛ブラシ。
【請求項８】
請求項１から７のいずれか一項に記載の櫛ブラシであって、
各前記突起を結んで得られる線分は、両端から中央に向かうにつれて前記基部に近くなる、櫛ブラシ。
【請求項９】
請求項１から８のいずれか一項に記載の櫛ブラシであって、
共通する前記部材の前記櫛歯の有する各前記突起を結んで得られる線分の各々は、略平行であって、前記基部の両端から中央に向かうにつれて前記基部に近くなる、櫛ブラシ。
【請求項１０】
請求項１から９のいずれか一項に記載の櫛ブラシであって、
前記突起は、梳かす方向と直交する方向の断面が略円弧形状であって、前記櫛歯に対して略垂直に突出する、櫛ブラシ。
【請求項１１】
請求項１から１０のいずれか一項に記載の櫛ブラシであって、
隣り合う前記櫛歯の有する前記突起は、突出高さが異なる、櫛ブラシ。
【請求項１２】
請求項１から１１のいずれか一項に記載の櫛ブラシであって、
前記基部に対し略垂直に設置される柄を有する、櫛ブラシ。
【請求項１３】
請求項１から１２のいずれか一項に記載の櫛ブラシであって、
前記櫛歯の間隔は、０．１ｍｍ以上０．５ｍｍ未満であって、
前記突起と、該突起と隣り合う前記櫛歯との間隔は、０ｍｍ以上０．４５ｍｍ未満である、櫛ブラシ。
【発明の詳細な説明】
【技術分野】
【０００１】
本発明は、櫛ブラシに関する。
【背景技術】
【０００２】
従来、毛髪を梳かすための櫛として、複数の櫛歯を列設し、一端側の半分の櫛歯を太い径とし、他端側の半分の櫛歯を細い径とするとともに櫛歯間隔も狭くするものが開示されている（例えば、特許文献１（図１等））。
【先行技術文献】
【特許文献】
【０００３】
【特許文献１】実用新案登録第３１３２０２２号公報
【発明の概要】
【発明が解決しようとする課題】
【０００４】
上記櫛は、２種類の櫛歯を有するため、対象に応じて櫛歯を使い分けることができ、便利である。櫛歯の間隔を狭い櫛を利用すると、毛を美しく整えることができる。
【０００５】
従来の櫛は、固い材料、例えば鼈甲、つげ、セルロース、アセテート等に歯を刻み込んで作成していた。この作成方法だと、櫛歯の間隔を狭くするほど、歯を刻み込むためのコストが増大する。
【０００６】
また、樹脂成型で櫛歯を一体成型する場合、コスト面での負担は軽減されるものの、櫛歯間隔を狭くすると、型の寿命が短い、樹脂が流れにくい等の問題が生じやすい。また、使用するうちに隣り合う櫛歯同士が接触してしまい、櫛歯の間隔を一定に保つことが困難である。
【０００７】
本発明は、上記の点に鑑みてなされたものであって、櫛歯間隔が密であっても、間隔を保つことを目的とする。
【課題を解決するための手段】
【０００８】
上記課題を解決するために、本発明に係る櫛ブラシは、基部と、前記基部に１列に設置される複数の櫛歯と、前記櫛歯に設けられた突起と、を有する部材を、前記櫛歯が並ぶように複数組み合わせてなる。
【０００９】
また、上記課題を解決するため、本発明に係る櫛ブラシは、前記櫛歯が１列に並ぶよう、複数の前記部材が各々有する前記基部を平行に組み合わせてなるものであってもよい。
【００１０】
また、上記課題を解決するため、上記いずれかの櫛ブラシは、２つの前記部材を、各部材の有する前記櫛歯が交互に並ぶよう組み合わせてなるものであってもよい。
【００１１】
また、上記課題を解決するため、上記いずれかの櫛ブラシの前記櫛歯は、１本につき１つの突起を有し、各前記突起は、前記櫛歯に対し共通する方向に突出してもよい。
【００１２】
また、上記課題を解決するため、上記いずれかの櫛ブラシの前記櫛歯は、１本につき１つの突起を有し、各前記突起は、当該櫛ブラシの外側に向かう方向に突出してもよい。
【００１３】
また、上記課題を解決するため、上記いずれかの櫛ブラシの前記櫛歯は、両隣の他の前記櫛歯の方向に向けて突出する複数の前記突起を有する第１の櫛歯と、前記突起を有しない第２の櫛歯と、からなるものであってもよい。
【００１４】
また、上記課題を解決するため、上記いずれかの櫛ブラシの前記櫛歯は、先端が前記突起の先端との間で略直線形状をなすよう形成されてもよい。
【００１５】
また、上記課題を解決するため、上記いずれかの櫛ブラシの各前記突起を結んで得られる線分は、両端から中央に向かうにつれて前記基部に近くなってもよい。
【００１６】
また、上記課題を解決するため、上記いずれかの櫛ブラシは、共通する前記部材の前記櫛歯の有する各前記突起を結んで得られる線分の各々は、略平行であって、前記基部の両端から中央に向かうにつれて前記基部に近くなってもよい。
【００１７】
また、上記課題を解決するため、上記いずれかの櫛ブラシの前記突起は、梳かす方向と直交する方向の断面が略円弧形状であって、前記櫛歯に対して略垂直に突出してもよい。
【００１８】
また、上記課題を解決するため、上記いずれかの櫛ブラシの隣り合う前記櫛歯の有する前記突起は、突出高さが異なるものであってもよい。
【００１９】
また、上記課題を解決するため、上記いずれかの櫛ブラシは、前記基部に対し略垂直に設置される柄を有していてもよい。
【００２０】
また、上記課題を解決するため、上記いずれかの櫛ブラシは、前記櫛歯の間隔が、０．１ｍｍ以上０．５ｍｍ未満であって、前記突起と、該突起と隣り合う前記櫛歯との間隔は、０ｍｍ以上０．４５ｍｍ未満であってもよい。
【発明の効果】
【００２１】
本発明によれば、櫛歯間隔が密であっても、間隔を保つ櫛ブラシを提供することができる。
【図面の簡単な説明】
【００２２】
【図１】第１の実施形態における櫛ブラシの外観の一例を示す図である。
【図２】第１の実施形態における櫛ブラシの構成の概要の一例を示す図である。
【図３】第１の実施形態の第１の変形例における櫛ブラシの概要の一例を示す図である。
【図４】第１の実施形態の第２の変形例における櫛ブラシの外観の一例を示す図である。
【図５】第１の実施形態の第３の変形例における櫛ブラシの概要の一例を示す図である。
【図６】第１の実施形態の第４の変形例における櫛ブラシの外観の一例を示す図である。
【図７】第１の実施形態の第５の変形例における櫛ブラシ１の概要の一例を示す図である。
【図８】第２の実施形態における櫛ブラシの概要の一例を示す図である。
【図９】第３の実施形態における櫛ブラシの外観の一例を示す図である。
【図１０】第３の実施形態における櫛ブラシの構成の概要の一例を示す図である。
【図１１】第４の実施形態における櫛ブラシの外観の一例を示す図である。
【発明を実施するための形態】
【００２３】
＜第１の実施形態＞
【００２４】
以下、図面に基づいて本発明の実施の形態を説明する。
【００２５】
髪を梳かす際に用いる櫛やブラシは、目の細かいものを使用すると、埃やフケ等の異物を取り除くだけでなく、頭皮のマッサージ効果、及び髪にツヤを生じさせる効果がある。また、ペットに使用する櫛やブラシについても、目の細かいものを使用することで、ダニやノミ等の寄生虫や、埃等の異物を除去する効果がある。
【００２６】
しかしながら、樹脂成型で櫛歯を成型する場合、櫛歯の間隔を狭くすれば、型の寿命が短い、樹脂が流れにくいという問題のほか、使用と共に櫛歯の間隔にばらつきが生じるという問題がある。隣り合う櫛歯の先端が当接すれば、櫛歯の間に毛が入らなくなり、櫛通りが悪くなる。
【００２７】
本実施形態における櫛ブラシは、容易に櫛歯の間隔を狭く構成することができるのに加え、櫛歯の間隔を保つことが可能である。図１は、第１の実施形態における櫛ブラシ１の外観の一例を示す図である。図１（Ａ）は櫛ブラシ１の全体を示す図であって、図１（Ｂ）は櫛ブラシ１の一部を拡大した図である。
【００２８】
本実施形態における櫛ブラシ１は、複数の部材を組み合わせて形成される。部材は、各々、基部１１と、基部１１に１列に設置される櫛歯１２と、櫛歯１２に設けられた突起１３と、を有する。図１に示す櫛ブラシ１は、部材１Ａと、部材１Ｂの、２つの部材からなるが、部材の数はこれに限定されない。基部１１は、梳かす方向に直交する方向に延伸する部材である。基部１１は、例えば略矩形又は略半月形状である。
【００２９】
櫛歯１２は、基部１１の延伸方向に直交する方向に向かって基部１１から延伸している。櫛歯１２は、例えば円柱形状又は角柱形状である。櫛歯１２は、先端に向かうにつれて漸次径が小さくなるよう構成してもよい。第１の実施形態における各櫛歯１２は、櫛ブラシ１に対して共通する方向に突出する突起１３を有する。突起１３は、隣接する櫛歯１２に向かって突出している。突起１３は、例えば半球形状である。
【００３０】
図１に示す櫛ブラシ１は、突起１３を結んで得られる線分が、櫛ブラシ１の両端から中央に向かうにつれて基部１１に近く、山なりになっている。図１に示す櫛ブラシ１の突起１３を結んで得られる線分は、端から中央部にかけ漸次基部１１に近くなる２本の直線からなる。なお、突起１３の構成はこれに限られない。例えば各突起１３を結んで得られる線分が、基部１１と略平行する直線であってもよい。
【００３１】
櫛ブラシ１の有する櫛歯１２の間隔Ｍは、好ましくは０．１０ｍｍ以上０．５０ｍｍ未満、より好ましくは０．２０ｍｍ以上０．３５ｍｍ未満である。突起１３と、該突起１３と隣り合う櫛歯１２との間隔Ｎは、０ｍｍ以上０．４５ｍｍ未満、好ましくは０．０５ｍｍ以上０．４５ｍｍ未満、より好ましくは０．１０以上０．２０未満である。櫛歯１２に対する突起１３の突出高さＬは、好ましくは０．０５ｍｍ以上０．４５ｍｍ未満、より好ましくは０．１５ｍｍ以上０．３０ｍｍ未満である。
【００３２】
図２は、第１の実施形態における櫛ブラシ１の構成の概要の一例を示す図である。図２（Ａ）は、部材１Ａの一部を示す。図２（Ｂ）は、部材１Ｂの一部を示す。部材１Ａ及び部材１Ｂには、各々櫛歯１２の１本分の間隔を空けて、基部１１に対して櫛歯１２が設けられている。
【００３３】
図２（Ｃ）は、部材１Ａと部材１Ｂとを組み合わせて形成された櫛ブラシ１の一部を示す。櫛ブラシ１は、複数の部材を基部１１が平行するよう組み合わせて形成される。より具体的には、櫛ブラシ１は、複数の基部１１の背と腹とを貼り合わせることにより形成される。各部材を組み合わせると、各部材の有する櫛歯１２は１列に並ぶ。
【００３４】
第１の実施形態における各突起１３は、梳かす方向と直交する方向における断面が略円弧形状である。換言すれば、図２（Ａ）〜図２（Ｃ）に示すｘｙ断面における突起１３の断面は、右側に突出した略円弧形状となっている。また、各突起１３は、櫛歯１２の延伸方向に対して略垂直に突出する。
【００３５】
図２（Ｄ）は、図２（Ｃ）における櫛ブラシ１のａａ’断面を、当該図におけるｘ方向から見た図である。ａａ’断面において、部材１Ａは、基部１１と櫛歯１２との間の一部が窪んだ形状をしており、当該窪みに部材１Ｂの基部１１が嵌合している。
【００３６】
図２（Ｅ）は、図２（Ｃ）における櫛ブラシ１のｂｂ’断面を、当該図におけるｘ方向から見た図である。ｂｂ’断面において、部材１Ｂの基部１１が、部材１Ａの基部１１と嵌合している。これにより、部材１Ａの有する櫛歯１２と、部材１Ｂの有する櫛歯１２とが１列に整列する。
【００３７】
本実施形態では、複数の部材の各々に櫛歯１２を設け、部材を組み合わせることにより、一列に櫛歯１２の並んだ櫛ブラシ１を形成する。換言すれば、櫛ブラシ１の有する１列に並んだ櫛歯１２は、異なる複数の部材に設けられている。櫛ブラシ１に組み合わせた際に隣り合う櫛歯１２は、異なる部材に設けられていることが望ましい。１つの部材に設けられた櫛歯１２が、櫛ブラシ１の有する櫛歯１２と比べて間引かれた状態にあることで、目の細かい櫛ブラシ１を一体成型する場合に比べて容易に部材を作成することができる。
【００３８】
例えば、２つの部材を用いて櫛ブラシ１を形成する場合、各部材の有する櫛歯１２が、櫛ブラシ１に組み立てた場合に交互に並ぶよう部材を形成することが望ましい。また例えば、３つの部材を用いて櫛ブラシ１を形成する場合には、各部材の有する櫛歯１２は、櫛歯１２の２本分ずつ間を空けて形成されることが望ましい。
【００３９】
また、仮に櫛ブラシ１を使用するうちに櫛歯１２が隣り合う他の櫛歯１２の方向へと傾いたとしても、突起１３が当接することによって、櫛歯１２の先端は一定の間隔が保たれる。また、櫛歯１２が傾き、突起１３が隣り合う櫛歯１２に当接した場合であっても、突起１３が略円弧形状であるため、毛が突起１３と櫛歯１２との間に入りやすく、櫛歯１２の傾きを修復することができるとともに、円滑な櫛通りを実現できる。
【００４０】
また、各突起１３を結んで得られる線分について、中央を最も基部１１に近くなるよう形成することで、頭部やペットの体等の毛の根元に櫛ブラシ１がフィットし、操作性が向上する。さらに、櫛ブラシ１の長手方向における中心付近から両端へ向けて、櫛歯１２の先端から根元へと順次毛が導かれるため、毛を梳く力が分散され、より軽い力で毛を梳くことができる。
【００４１】
なお、櫛歯１２の根元に根ずりという処理を施し、櫛歯１２の根元に丸みを設けてもよい。これにより、滑らかな櫛通りが実現しうる。
【００４２】
＜第１の変形例＞
【００４３】
図３は、第１の実施形態の第１の変形例における櫛ブラシの概要の一例を示す図である。本図は、第１の変形例における櫛ブラシ１の有する櫛歯１２の先端付近を拡大した図である。本変形例における櫛ブラシ１は、少なくとも隣り合う櫛歯１２の有する突起１３の突出高さＬが異なる。
【００４４】
図３に示す櫛歯１２は、突起１３の突出高さＬが交互に異なる。例えば偶数番目の櫛歯１２の有する突起１３は突起高さがＬ１であって、奇数番目の櫛歯１２の有する突起１３は突起高さがＬ２である。なお、本図に示す突起１３を結ぶことにより得られる線分は、基部１１に対して略平行の直線である。
【００４５】
突起１３の突出高さＬを異ならせることにより、櫛歯１２の間隔を狭く構成しながらも、櫛通りを確保することができ、かつ櫛歯１２の間隔を保つことができる。
【００４６】
＜第２の変形例＞
【００４７】
図４は、第１の実施形態の第２の変形例における櫛ブラシの外観の一例を示す図である。本変形例における櫛ブラシ１は、各突起１３を結んで得られる線分が、櫛ブラシ１の中央に向けて漸次基部１１に近くなる円弧を描いている。
【００４８】
当該構成により、毛の根元に櫛ブラシ１がフィットし、使い心地が快適である。また、外観上も美しい。
【００４９】
＜第３の変形例＞
【００５０】
図５は、第１の実施形態の第３の変形例における櫛ブラシ１の概要の一例を示す図である。本変形例における櫛ブラシ１の櫛歯１２の有する各突起１３は、共通する方向ではなく、基部１１の中央から外側に向けて突出している。換言すれば、中央より右側の櫛歯１２の突起１３は右方向へ、中央より左側の櫛歯１２の突起１３は左方向へ突出している。
【００５１】
なお、突起１３の突出方向はこれに限定されない。例えば、各突起１３は基部１１の内側に向けて突出していてもよい。本変形例における突起１３は、１つの櫛歯１２に対して１つ突出しているものであればよく、突出方向については限定しない。
【００５２】
＜第４の変形例＞
【００５３】
図６は、第１の実施形態の第４の変形例における櫛ブラシ１の外観の一例を示す図である。図６（Ａ）は、第４の変形例における櫛ブラシ１の全体を示す図であって、図６（Ｂ）は第４の変形例における櫛ブラシ１の一部を拡大した図である。
【００５４】
本変形例における櫛ブラシ１の各櫛歯１２の有する突起１３は、梳かす方向と直交する方向における断面が、櫛歯１２と突起１３との接続部分を底辺とする略三角形である。突起１３は二等辺三角形であってもよいし、図６（Ｂ）に示す通り、基部１１寄りに頂点を有する略三角形であってもよい。基部１１寄りに頂点を有するよう突起１３を構成することにより、梳かす際に各櫛歯１２の間にスムーズに毛が入り込み、滑らかな櫛通りを実現する。なお、突起１３は、櫛歯１２の先端寄りに頂点を有する略三角形であってもよい。
【００５５】
本変形例における櫛ブラシ１の櫛歯１２の有する各突起１３を結ぶ線分は、図６（Ａ）に示す通り、両端が櫛歯１２の先端付近から立ち上り、中央部分に複数の波型を形成する曲線である。これにより、毛を梳くために用いる力が局所的に分散される。また、本変形例における突起１３は、上述の第３の変形例と同様に、基部１１の中央から外側に向かって突出している。なお、各突起１３を結ぶ線分は、図６（Ａ）に示す形状に限定されない。また、突起１３は、櫛歯１２に対して共通する方向に突出するものであってもよい。
【００５６】
＜第５の変形例＞
【００５７】
図７は、第１の実施形態の第５の変形例における櫛ブラシ１の概要の一例を示す図である。本変形例における櫛ブラシ１の櫛歯１２は、接続部分を底辺とする略三角形の突起１３を有し、櫛歯１２の先端が突起の先端１３との間で略直線形状をなすよう形成される。
【００５８】
本変形例における櫛歯１２は、突起１３の先端から下方向（図７における−ｙ方向）に向かうにつれて漸次径が小さくなるよう形成される。その結果、突起１３の先端から櫛歯１２の先端へ向けて櫛歯１２が細くなり、櫛歯１２と櫛歯１２との間隔が広くなる。
【００５９】
櫛ブラシ１を形成するにあたって、櫛歯１２の間隔が狭くなれば、毛が櫛歯１２の先端から根元方向に抵抗なく導かれることがより肝要となる。櫛歯１２の先端を根元よりも細く形成することで、毛がよりスムーズに櫛歯１２の根元方向へと導入され、軽い力で毛を梳かすことができる。この場合に、櫛歯１２の先端が突起の先端１３との間で略直線形状をなすよう形成されることで、毛が円滑に櫛歯１２の根元付近にまで導かれる。
【００６０】
なお、図７に示す櫛ブラシ１は、基部１１のｘ方向における一端から基部１１の中央方向に向かうにつれて、突起１３を結ぶ線が基部１１に近くなるよう形成されている。本変形例における突起１３の高さ方向（＋ｙ方向）の設置位置はこれに限定されないが、櫛歯１２の間隔に応じて突起１３の高さ方向の設置位置を調整することが望ましい。
【００６１】
例えば、櫛歯１２の間隔が狭いほど、高さ方向に差をつけて櫛歯１２に突起１３を形成することで、櫛歯１２の狭さにより生じる毛の抵抗を適切に減衰することが可能となる。換言すれば、櫛歯１２の先端から突起１３の先端までの距離を、櫛歯１２の間隔に反比例するよう形成することが望ましい。
＜第２の実施形態＞
【００６２】
図８は、第２の実施形態における櫛ブラシ２の概要の一例を示す図である。以下、上述の実施形態と異なる点を説明し、重複する点については説明を省略する。本実施形態において、櫛ブラシ２の有する櫛歯２２は、櫛歯２２Ａと、櫛歯２２Ｂとからなる。櫛歯２２Ａと櫛歯２２Ｂとは、交互に並んでいる。
【００６３】
櫛歯２２Ａは、突起２３を有しない櫛歯である。櫛歯２２Ｂは、隣接する双方向の櫛歯２２Ａに向かって突出する２つの突起２３からなる１組の突起２３を有する。突起２３の形状は、図８に示す通り略円弧形状であってもよいし、他の形状であってもよい。
【００６４】
図８に示す櫛ブラシ２は、櫛歯２２Ａを有する部材２Ａと、櫛歯２２Ｂを有する部材２Ｂにより構成される。
【００６５】
なお、突起２３を有しない櫛歯２２Ａは、異なる部材に形成されてもよい。同様に、突起２３を有する櫛歯２２Ｂが異なる部材に形成されてもよい。また、第２の実施形態における櫛ブラシ２は、逆方向に向けて、高さ方向（図８における＋ｙ方向）において共通する位置に突出する１組以上の突起２３を有する櫛歯２２が形成されたものであればよい。
【００６６】
例えば、櫛ブラシ２の有するすべての櫛歯２２が、両隣の他の櫛歯２２の方向に向けて突出する１組以上の突起２３を有するものであってもよい。その場合、隣り合う櫛歯２２に設けられた突起２３の各組は、各々高さ方向において異なる位置に設置されることが望ましい。
【００６７】
＜第３の実施形態＞
【００６８】
図９は、第３の実施形態における櫛ブラシ３の外観の一例を示す図である。以下、上述の実施形態と異なる点を説明し、重複する点については説明を省略する。本実施形態において、櫛歯１２は各々１つの突起１３を有する。櫛ブラシ３の突起１３を結んで得られる線分は複数であって、略平行している。
【００６９】
図９に示す櫛ブラシ３は、突起１３を結んで得られる線分が２本であって、各々両端から中央に向かうにつれて漸次基部１１に近づく円弧形状である。線分の数はこれに限定されない。また、図９に示す櫛ブラシ３は、部材３Ａと、部材３Ｂと、を組み合わせて形成される。
【００７０】
図１０は、第３の実施形態における櫛ブラシ３の構成の概要の一例を示す図である。図１０（Ａ）は、櫛ブラシ３の部材３Ａの一部を示す。図１０（Ｂ）は、櫛ブラシ３の部材３Ｂの一部を示す。部材３Ａの突起１３を結んで得られる線分は、部材３Ａの両端から中央に向けて漸次基部１１に近くなる。部材３Ｂについても同様である。
【００７１】
図１０（Ｃ）は、部材３Ａと部材３Ｂとを組み合わせて形成された櫛ブラシ３の一部を示す。部材３Ａと部材３Ｂとを組み合わせた結果、各々の部材の突起１３を結んで得られる線分が略平行となる。このように、本実施形態における櫛ブラシ３は、各々の部材の櫛歯１２の有する突起１３を結んで得られる線分が、両端から中央に向かうにつれて漸次基部１１に近づく線分であって、部材を組み立てた場合に得られる、各部材の突起１３により形成される線分は、略平行している。換言すれば、櫛ブラシ３を形成する部材の数だけ、各突起１３を結んだ線分が得られ、かつ各線分は略平行である。
【００７２】
なお、部材の数と、突起１３を結んで得られる線分の数とは、必ずしも等しくなくともよい。１つの線分を形成する突起１３が、異なる部材に属するものであってもよい。
【００７３】
本実施形態において、例えば櫛歯１２が傾き、櫛歯１２の先端近傍の突起１３が隣り合う櫛歯１２に当接したとする。突起１３の当接した櫛歯１２は、突起１３に押された分だけ傾く。すると、該櫛歯１２の有する突起１３が、さらに隣り合う櫛歯１２に当接する。しかしながら、該突起１３は櫛歯１２の先端近傍よりも基部１１に近いため、突起１３がさらに隣り合う櫛歯１２に当接するために要する傾きの角度は、突起１３が櫛歯１２の先端近傍に設置される場合に比べて大きくなる。
【００７４】
従って、本実施形態により、突起１３が当接した場合に隣り合う櫛歯１２に与える影響を抑制しうる。なお、各櫛歯１２が突起１３を備えることにより、櫛歯１２の間隔を保つことができる点は、第１の実施形態と同様である。
【００７５】
なお、櫛歯１２の複数本おきに段差を設けて突起１３を形成することにより、毛を梳く際に用いる力が局所的に分散され、より少ない力で毛を梳く効果が期待しうる。
【００７６】
また、突起１３を結んで得られる線分が複数であって、各々の線分が基部１１の両端から中央に向かうにつれて漸次基部１１に近づくよう形成されることにより、櫛ブラシ１の長手方向における中央付近から両端に向かって、順次櫛歯１２の先端から根元方向へと毛が導かれる。この際、隣り合う櫛歯１２に設置された突起１３の高さ方向（図１１（ｃ）における＋ｙ方向）における設置位置が異なれば、より毛が櫛歯１２の根元方向へと円滑に導かれる。これにより、毛を梳く際に用いる力が分散され、より軽い力で毛を梳くことができる。
【００７７】
＜第４の実施形態＞
【００７８】
図１１は、第４の実施形態における櫛ブラシ４の外観の一例を示す図である。以下、上述の第１及び第２実施形態と異なる点について説明する。図１１（Ａ）は、櫛ブラシ４の正面図である。櫛ブラシ４は、櫛部４１と、櫛部４１に略垂直に設置される柄部４２と、を有する。
【００７９】
櫛部４１は、柄部４２と直交する軸を中心に回動自在である。例えば、櫛部４１は内部に図示しないスプリングを用いたロック機構を有し、柄部４２に対して所定の角度を保ったまま固定が可能である。従って、櫛部４１はブラッシング面に対して角度を変更自在である。また、櫛部４１は、好ましくは、歯先から少なくとも１／３を占める部分が、柄部４２の方向に向かって湾曲するよう形成される。
【００８０】
櫛部４１は、基部１１と、基部１１に直交する方向に延伸する櫛歯１２と、該櫛歯１２に設置された突起１３と、を有する複数の部材を組み合わせることにより形成される。櫛部４１は、上述の第１の実施形態又は第３の実施形態における櫛ブラシ４の構成を有する。
【００８１】
図１１（Ｂ）は、櫛ブラシ４の部材４１Ａの一例を示す。図１１（Ｃ）は、櫛ブラシ４の部材４１Ｂの一例を示す。部材４１Ａ及び部材４１Ｂは、共に櫛歯１２の１本分の間隔を空けて櫛歯１２が形成されている。図１１（Ｄ）は、櫛ブラシ４の左側面図の一例である。部材４１Ａ及び部材４１Ｂを組み合わせると、各々の部材の有する櫛歯１２が交互に並ぶ。
【００８２】
櫛歯１２は、梳かす方向に対して波形状に形成された部分を有する。図１１に示す櫛ブラシ４の櫛歯１２は、すべて波形状に形成された部分を含んでいるが、一部の櫛歯１２のみが波形状に形成された部分を含むものであってもよい。また、図１１に示す櫛歯１２は、波形状のピッチが同大であるが、歯先に向かって波形状のピッチが大きく形成されてもよいし、歯先に向かって波形状のピッチが小さく形成されてもよい。
【００８３】
また、図１１に示す櫛ブラシ４は、櫛部４１と接続する柄部４２の一部が、屈曲可能に形成される。当該部分は例えば弾性を有する素材で形成される。これにより、柄部４２を把持して櫛部４１を毛及び皮膚に当てた際に、当該部分が屈曲し、皮膚に沿って毛を梳かすことが可能となる。
【００８４】
本実施形態により、柄を有する櫛ブラシ４においても、櫛歯１２の間隔を狭く構成することが容易になる。また、柄を有する櫛ブラシ４においても、櫛歯１２の間隔を保つことができる。
【００８５】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。特に、櫛歯１２に対する突起１３の設置態様は、以上の実施形態に限定されず、本発明の機能を損なわない範囲で応用が可能である。
【００８６】
また、各実施形態は、それぞれの特徴を組み合わせることができる。上述のいずれかの温度調整装置が、他の実施形態の特徴を併せ持つものであってもよい。
【符号の説明】
【００８７】
１・２・３・４：櫛ブラシ、１Ａ・１Ｂ・２Ａ・２Ｂ・３Ａ・３Ｂ・４１Ａ・４１Ｂ：部材、１１：基部、１２・２２・２２Ａ・２２Ｂ：櫛歯、１３・２３：突起、４１：櫛部、４２：柄部
【図１】
2018064751.tif 000003
【図２】
2018064751.tif 000004
【図３】
2018064751.tif 000005
【図４】
2018064751.tif 000006
【図５】
2018064751.tif 000007
【図６】
2018064751.tif 000008
【図７】
2018064751.tif 000009
【図８】
2018064751.tif 000010
【図９】
2018064751.tif 000011
【図１０】
2018064751.tif 000012
【図１１】
2018064751.tif 000013
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
基部と、前記基部に１列に設置される複数の櫛歯と、前記櫛歯に設けられた突起と、を有する部材を、前記櫛歯が並ぶように複数組み合わせてなり、
各前記突起を結んで得られる線分は、両端から中央に向かうにつれて前記基部に近くなる、櫛ブラシ。
【請求項２】
基部と、前記基部に１列に設置される複数の櫛歯と、前記櫛歯に設けられた突起と、を有する部材を、前記櫛歯が並ぶように複数組み合わせてなり、
共通する前記部材の前記櫛歯の有する各前記突起を結んで得られる線分の各々は、略平行であって、前記基部の両端から中央に向かうにつれて前記基部に近くなる、櫛ブラシ。
【請求項３】
基部と、前記基部に１列に設置される複数の櫛歯と、前記櫛歯に設けられた突起と、を有する部材を、前記櫛歯が並ぶように複数組み合わせてなり、
隣り合う前記櫛歯の有する前記突起は、突出高さが異なる、櫛ブラシ。
【手続補正２】
【補正対象書類名】明細書
【補正対象項目名】０００８
【補正方法】変更
【補正の内容】
【０００８】
上記課題を解決するために、本発明に係る櫛ブラシは、基部と、前記基部に１列に設置される複数の櫛歯と、前記櫛歯に設けられた突起と、を有する部材を、前記櫛歯が並ぶように複数組み合わせてなり、各前記突起を結んで得られる線分は、両端から中央に向かうにつれて前記基部に近くなる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
基部と、前記基部に１列に設置される複数の櫛歯と、を有する複数の部材を、前記櫛歯が並ぶように組み合わせてなり、
一の前記部材に設けられた櫛歯の間に、他の前記部材に設けられた櫛歯が入り込んでおり、
前記櫛歯の並び方向に突出した突起を有し、
各前記突起を結んで得られる線分は、両端から中央に向かうにつれて前記基部に近くなる、櫛ブラシ。
【請求項２】
基部と、前記基部に１列に設置される複数の櫛歯と、を有する複数の部材を、前記櫛歯が並ぶように組み合わせてなり、
一の前記部材に設けられた櫛歯の間に、他の前記部材に設けられた櫛歯が入り込んでおり、
前記櫛歯の並び方向に突出した突起を有し、
共通する前記部材の前記櫛歯の有する各前記突起を結んで得られる線分の各々は、略平行であって、前記基部の両端から中央に向かうにつれて前記基部に近くなる、櫛ブラシ。
【請求項３】
基部と、前記基部に１列に設置される複数の櫛歯と、を有する複数の部材を、前記櫛歯が並ぶように組み合わせてなり、
一の前記部材に設けられた櫛歯の間に、他の前記部材に設けられた櫛歯が入り込んでおり、
前記櫛歯の並び方向に突出した突起を有し、
隣り合う前記櫛歯の有する前記突起は、突出高さが異なる、櫛ブラシ。
【手続補正２】
【補正対象書類名】明細書
【補正対象項目名】０００８
【補正方法】変更
【補正の内容】
【０００８】
上記課題を解決するために、本発明に係る櫛ブラシは、基部と、前記基部に１列に設置される複数の櫛歯と、を有する複数の部材を、前記櫛歯が並ぶように組み合わせてなり、一の前記部材に設けられた櫛歯の間に、他の前記部材に設けられた櫛歯が入り込んでおり、前記櫛歯の並び方向に突出した突起を有し、各前記突起を結んで得られる線分は、両端から中央に向かうにつれて前記基部に近くなる。